(57)【要約】【課題】  １つでワイヤ、ケーブル等の線材を複数の集合物として結束し、固定し、支持し、整理できるケーブルタイを提供すること。【解決手段】  ケーブルタイ１０は、ロック部１３を３個連設して形成すると共に、一のロック部１３の一端にバンド部１２を連ねて一体に３個設ける。使用時には、湾曲させた各バンド部１２Ａの内側にケーブル等の線材を束ね、各ロック部１３で結束し、固定する。１つのケーブルタイで３つの集合物を固定し、整理し、支持できる。【選択図】        図１
2008007161.tif 000002
【特許請求の範囲】
【請求項１】
ケーブル等の線材を結束する可撓性のバンド部と、該バンド部の一端に一体形成され、前記バンド部の進入を一方向にのみ許容する挿通穴が形成された筒状のロック部とからなるケーブルタイにおいて、前記ロック部を複数個連設したことを特徴とするケーブルタイ。
【請求項２】
前記ロック部と同数のバンド部を連ねて一体に設けたことを特徴とする請求項１に記載のケーブルタイ。
【請求項３】
前記バンド部の両面に長手方向に亘って係止用の突起を設け、前記ロック部の挿通穴への進入許容方向を順次交互に違えてなる、請求項１に記載のケーブルタイ。
【発明の詳細な説明】
【技術分野】
【０００１】
本発明は、ワイヤやケーブルを結束し、固定したり整理するのに用いて好適なケーブルタイに関する。
【背景技術】
【０００２】
従来公知のケーブルタイ（「インシュロック」とも呼ばれる）として、図６および図７に示すようなものが知られている。
【０００３】
ケーブルタイ１はポリエチレン等の合成樹脂から一体形成された、大略バンド部２およびロック部３とから構成されている。
バンド部２は可撓性であり、図７に示すように湾曲させて内側にワイヤ、ケーブル等の被結束物Ｗを結束するものである。バンド部２の一方の面には、長さ方向に亘って、後述するロック部３の脱け止め部３Ｂに係止する係止用の突起２Ａが所定ピッチで多数形成されている。
【０００４】
ロック部３は前記バンド部２の一端に四角筒状に一体形成され、その中央にバンド部２を挿通する挿通穴３Ａが形成されている。挿通穴３Ａの内側には、例えば鏃（やじり）状の脱け止め部３Ｂが設けられ、前記係止用の突起２Ａの通過に際して一方向に弾性変形することで、バンド部２の進入を一方向にのみ許容し、バンド部２を脱け止めする。
【０００５】
そして、ケーブルタイ１を使用するには、図７に示すように、バンド部２を被結束物Ｗにル−プ状に巻付けつつ、係止用の突起２Ａを脱け止め部３Ｂに係止して結束する。
【０００６】
ところが、従来のケーブルタイでは、単純にバンド部の内側に締め付けたもののみを固定、整理できるだけであるため、内部構造が複雑な電気電子機器などの装置内に用いるには多数用いる必要があり、必要な数を確保し、結束作業をする手間が煩雑であった。
【０００７】
一方、パイプ材や棒材に巻回して締め付けできるようにすると共に、他の物を掛け止めできるように、帯状部分の他端部に係止部とリング形状の掛止部とを一体に設けた掛止具が、特許文献１により知られている。
【特許文献１】実開平７−３４２０５号公報
【０００８】
しかしながら、バンド部の他に掛止部を設けることによっては、結束した物に何かを吊す目的には適合するものの、結束できるものがひとまとまりのものであることに変わりがないため、多数のケーブルを識別・固定等するのに適したものとは言えなかった。
【発明の開示】
【発明が解決しようとする課題】
【０００９】
本発明は上述した従来技術の問題に鑑みなされたものであって、一つで複数の集合物（ワイヤ、ケーブル、ハーネス等の線材や棒、パイプ、角材など）を結束して固定し、支持し、整理できるようにしたケーブルタイを提供することを目的とする。
【課題を解決するための手段】
【００１０】
上記課題を解決するため、本発明が採用する構成の特徴は、ケーブル等の線材を結束する可撓性のバンド部と、該バンド部の一端に一体形成され、前記バンド部の進入を一方向にのみ許容する挿通穴が形成された筒状のロック部とからなるケーブルタイにおいて、前記ロック部を複数個連設したことにある。
【００１１】
この場合、上記ロック部と同数のバンド部を連ねて一体に設ければ、従来のケーブルタイの集合体と同等の作用を１つのケーブルタイに持たせることができる。
【００１２】
一方、上記バンド部の両面に長手方向に亘って係止用の突起を設け、上記ロック部の挿通穴への進入許容方向を順次交互に違えてなるように構成すれば、１つのバンド部と複数のロック部とで複数の結束部を作ることができる。
【発明の効果】
【００１３】
本発明のケーブルタイによれば、１つのケーブルタイに従来のケーブルタイの集合体と同等の作用を持たせることができる。
【００１４】
よって、結束作業を行うに際しては必要なケーブルタイの数が減り、作業の繁雑さが減少するのと共に、省スペース、省資源な結束手段が提供される。
【発明を実施するための最良の形態】
【００１５】
以下、本発明の実施の形態につき図面を参照しつつ詳細に説明する。なお、この形態によりこの発明が限定されるものではなく、また、以下に示す形態の構成要素には、当業者が置換可能且つ容易なもの、或いは実質的同一のものが含まれるものとする。
【００１６】
図１は第一の実施の形態にかかるケーブルタイを示すものであって、（Ａ）は正面図、（Ｂ）は（Ａ）中の矢示方向に沿った断面図、図２はケーブルタイの使用説明図である。
【００１７】
図３は第二の実施の形態にかかるケーブルタイを示すものであって、（Ａ）は正面図、（Ｂ）は（Ａ）中の矢示方向に沿った断面図、図４はケーブルタイの使用説明図である。
【００１８】
図５は第三の実施の形態にかかるケーブルタイを示すものであって、（Ａ）は正面図、（Ｂ）は（Ａ）中の矢示方向に沿った断面図である。
【００１９】
ケーブルタイ１０は、上述した従来のケーブルタイ１とほぼ同様に大略バンド部１２およびロック部１３から構成されるものの、ロック部１３は３個連設して形成され、バンド部１２は一のロック部１３の一端に、前記ロック部１３と同数、連ねて一体に３個設けられている。
【００２０】
そして、各バンド部１２には従来と同様、係止用の突起１２Ａが、各ロック部１３には、挿通穴１３Ａと脱け止め部１３Ｂが設けられている。
【００２１】
そして、ケーブルタイ１０を使用する時には、図２に示す如く、各バンド部１２Ａを湾曲させて内側にケーブル等の線材を結束し、各ロック部１３で固定する。
【００２２】
本実施の形態は以上のようなもので、１つのケーブルタイで３つの集合物を固定し、整理し、支持することができる。
【００２３】
次に、第二の実施の形態に係るケーブルタイ２０は、上述した第一の実施の形態とほぼ同様に３個のロック部２３を備えるものの、各ロック部２３は挿通穴２３Ａへの進入許容方向を順次交互に違えるように、脱け止め部２３Ｂを設けてある。
【００２４】
また、ロック部２３の一端に設けられるバンド部２２は１つであり、その両面に長手方向に亘って係止用の突起２２Ａを設けている。
【００２５】
そして、使用する時には、図４のように直近のロック部２３から順次バンド部２２を交互にくぐらせて、１つのバンド部２２で３個の結束部を作ることができる。
【００２６】
かくして、本実施の形態によっても、同様の作用効果を奏することができ、本形態は、小さなロック部に一体形成するバンド部が一つであり、形状が単純であることから、本発明中最も実施効果が期待されるものである。
【００２７】
次に、第三の実施の形態に係るケーブルタイ３０は上述した第一の形態の変形であり、各バンド部３２が３個連設する各ロック部３３から突出、伸張するように形成されている。
【００２８】
そして、各バンド部３２には係止用の突起３２Ａが、各ロック部３３には、挿通穴３３Ａと脱け止め部３３Ｂが設けられている。
【００２９】
以上のケーブルタイ３０によっても第一の形態と同様の作用効果を奏するものの、本形態によれば、容易に同じ大きさまたは相似形の結束部を複数形成することが可能である。
【産業上の利用可能性】
【００３０】
本発明のケーブルタイは、上述した用途の他に、盗難防止や包装、荷造りなどにも用いることができる。
【図面の簡単な説明】
【００３１】
【図１】本発明の第一の実施の形態を示す説明図であり、（Ａ）は正面図、（Ｂ）は（Ａ）中の矢示方向に沿った断面図である。
【図２】図１のケーブルタイの使用説明図である。
【図３】第二の実施の形態を示す説明図であり、（Ａ）は正面図、（Ｂ）は（Ａ）中の矢示方向に沿った断面図である。
【図４】図３のケーブルタイの使用説明図である。
【図５】第三の実施の形態を示す説明図であり、（Ａ）は正面図、（Ｂ）は（Ａ）中の矢示方向に沿った断面図である。
【図６】従来のケーブルタイの説明図であり、（Ａ）は正面図、（Ｂ）は（Ａ）中の矢示方向に沿った断面図である。
【図７】従来のケーブルタイの使用説明図である。
【符号の説明】
【００３２】
１０，２０，３０…ケーブルタイ、１２，２２，３２…バンド部、１２Ａ，２２Ａ，３２Ａ…係止用の突起、１３，２３，３３…ロック部、１３Ａ，２３Ａ，３３Ａ…脱け止め部、Ｗ…被結束物
【図１】
2008007161.tif 000003
【図２】
2008007161.tif 000004
【図３】
2008007161.tif 000005
【図４】
2008007161.tif 000006
【図５】
2008007161.tif 000007
【図６】
2008007161.tif 000008
【図７】
2008007161.tif 000009